(57)【要約】【課題】  搬送ローラの正回転、逆回転によって、シートを一方向にはまっすぐ搬送し、逆方向（例えば、斜送手段の方向）には斜送する。【解決手段】  搬送ローラ７ａの長手方向の異なる位置に４個の搬送コロ７ｂを当接させる。各搬送コロ７ｂは、付勢部材７ｅで付勢されたアーム７ｃに摩擦部材７ｆを介して回動自在に支持する。４個のアーム７ｃのうち、手前側の２個のアーム７ｃには規制部材７ｇを設ける。搬送ローラ７ａの矢印Ｒ２方向の逆回転に伴う搬送コロ７ｂの矢印Ｒ４方向の逆回転による摩擦部材７ｆの摩擦力で奥側の２個の搬送コロ７の当接圧は低減されるが、手前側の２個の搬送コロ７ｂの当接圧は規制部材７ｇにより低減が抑制される。シートＳは、４個の搬送コロ７ｂによるシートの搬送力に差異が生じるので斜送される。【選択図】      図２
2006327795.tif 000002
【特許請求の範囲】
【請求項１】
駆動回転される搬送ローラと、前記搬送ローラの軸方向に沿って異なる位置に当接されて従動回転する複数の搬送コロとによってシートを挟持搬送し、また前記搬送ローラの正回転、逆回転を切り替えることでシート搬送方向を反転するシート反転装置において、
前記搬送ローラの正回転に伴う前記複数の搬送コロの正回転に連動して前記搬送ローラに対する前記複数の搬送コロの当接圧を均等にし、また前記搬送ローラの逆回転に伴う前記複数の搬送コロの逆回転に連動して前記搬送ローラに対する前記複数の搬送コロの当接圧に差異を発生させるシート斜送機構を備えたことを特徴とするシート反転装置。
【請求項２】
前記シート斜送機構は、前記複数の搬送コロとしての第１の搬送コロ及び第２の搬送コロをそれぞれ回動可能に支持する揺動自在な第１のアーム部材及び第２のアーム部材と、
前記各アーム部材を付勢して前記各搬送コロを前記搬送ローラに当接させる付勢部材と、
前記各搬送コロと前記各アーム部材との間に介装された摩擦部材であって、前記搬送ローラの正回転に伴う前記各搬送コロの正回転で発生する摩擦力により前記各アーム部材をコロ当接方向に付勢し、また前記搬送ローラの逆回転に伴う前記各搬送コロの逆回転で発生する摩擦力により前記各アーム部材をコロ離間方向に付勢して前記搬送ローラに対する前記各搬送コロの当接圧を減少させる摩擦部材と、
前記搬送ローラの逆転時における前記第２のアーム部材のコロ離間方向の移動を規制して、前記搬送ローラに対する前記第２の搬送コロの当接圧の減少を抑制する規制部材とを有することを特徴とする請求項１に記載のシート反転装置。
【請求項３】
前記第１の搬送コロと前記第２の搬送コロとが、搬送されるシートの幅方向の中心に対応する位置を基準にしてそれぞれ反対側に配設されていることを特徴とする請求項２に記載のシート反転装置。
【請求項４】
搬送ローラの正回転、逆回転を切り替えることでシート搬送方向を反転するシート反転装置と、
前記搬送ローラの逆回転によって搬送されるシートの搬送方向下流側に配設されてシートを斜送する斜送ローラと、斜送されたシートの一方の側端が当接されることでシートの幅方向の整合を行う基準部材とを備え、
前記シート反転装置が、請求項１ないし３のいずれか１項に記載のシート反転装置であることを特徴とするシート搬送装置。
【請求項５】
シートに画像を形成する画像形成部と、画像形成前又は画像形成後のシートを搬送するシート搬送装置とを備えた画像形成装置において、
前記シート搬送装置が、請求項４に記載のシート搬送装置であることを特徴とする画像形成装置。
【請求項６】
シート上の画像を読み取る画像読取り部と、画像読取り前又は画像読取り後のシートを搬送するシート搬送装置とを備えた画像読取り装置において、
前記シート搬送装置が、請求項４に記載のシート搬送装置であることを特徴とする画像読取り装置。
【発明の詳細な説明】
【技術分野】
【０００１】
本発明は、搬送ローラの正回転、逆回転を切り替えることでシートの搬送方向を反転するシート反転装置、シート搬送装置、画像形成装置、及び画像読取り装置に関する。
【背景技術】
【０００２】
シートに画像を形成するプリンタ，複写機等の画像形成装置や、シート上の画像を読み取る画像読取り装置に使用されるシート反転装置において、搬送ローラの正回転と逆回転とを切り替えることによってシートの搬送方向を切り替える技術がある。その一例を、図７〜図９を参照して説明する。このうち図７はプリンタ１００の内部構造を正面側から見た図、また図８は反転機構１０７の拡大図、さらに図９（ａ）は搬送ローラ１０７ａ近傍を上方から見た図、図９（ｂ）は搬送ローラ１０７ａから斜送ローラ９１にかけての展開図である。なお、図９（ｂ）においては、搬送コロ１０７ｂ等は省略している。
【０００３】
シートＳの一面のみに画像形成を行う場合、給紙カセット１０１に収納されているシートＳは、給紙ローラ１０２、分離パッド１０３、搬送ローラ１０４、レジストローラ１０５などからなるシート給搬送部によって画像形成部１０６に搬送される。搬送されたシートＳは、画像形成部１０６において一面に画像が形成された後、搬送ローラ１０７ａ、搬送コロ１０７ｂ等を有するシート反転装置１０７によってまっすぐ搬送され、排紙ローラ１０８等によって排紙トレイ１０９上に排出される。
【０００４】
一方、シートＳの両面に画像形成を行う場合、画像形成部１０６で一面に画像形成されたシートＳは、その後端側が搬送ローラ１０７ａと搬送コロ１０７ｂとのニップを抜ける前に、搬送ローラ１０７が逆回転されることにより、再給搬送部１１０に導かれて反転され、さらに搬送ローラ１１１と斜送コロ１１２とを有する斜送手段によって一方の側端が基準部材１１３に当接されることで、斜行が矯正されてシート幅方向（横方向）のレジストレーションが行われる。シートＳは、その後、再び画像形成部１０６に搬送されて画像形成されている面とは反対側の面に画像形成された後、搬送ローラ１０７ａ、排紙ローラ１０８等によって排紙トレイ１０９上に排出される。
【０００５】
図８（ａ），図９（ａ）に示すように、搬送ローラ１０７ａと搬送コロ１０７ｂからなるローラ対は、シート幅方向に複数対配設されていて、各搬送コロ１０７ｂは、各搬送ローラ１０７ａに対してシートＳの搬送方向にかかわらず、付勢手段１０７ｃ（図７参照）によって等しい当接圧Ｆ０で当接されている。このため、シートＳは、ローラ対からは、排出ローラ１０８側に向けて搬送される場合（図８（ｂ）参照）も、斜送コロ１１２側に向けて搬送される場合（図９（ｂ）参照）も、等しい搬送力Ｆ１が付与されて、まっすぐに搬送される。ここで、シートＳは、斜送コロ１１２側に搬送された場合には、その後、斜送コロ１１２等により上述のように横方向のレジストレーションが行われる。
【０００６】
なお、シートの横方向のレジストレーションを行うための斜送手段としては、搬送ローラによってまっすぐ搬送されてきたシートを、シートの一方の端部に対応させて配置した一対の搬送ローラを使用して行うものがある（例えば、特許文献１参照）。
【特許文献１】特開２０００−２３３８５０号公報
【発明の開示】
【発明が解決しようとする課題】
【０００７】
しかしながら、図７〜図９を参照して説明したシート反転装置は、搬送ローラ１０７ａの正回転、逆回転によって、いずれの方向にシートＳを搬送する場合でもまっすぐに搬送する。このため、斜送手段に向けて搬送する場合、シートＳの先端Ｓ１側がシート反転装置の搬送ローラ１０７ａと搬送コロ１７ｂとによって挟持されている間は、斜送手段によってシートＳを十分に斜送させることができず、したがってシート搬送方向のサイズが長いシートＳ（例えば、Ａ３横通しのシート）の側端を基準部材１１３に良好に当接させることができないという問題があった。またシート幅方向のサイズが短いシートＳの場合には、シートの側端から基準部材１１３までの距離が長いため、このようなシートＳに対しては、十分に当接させることができないという問題があった。
【０００８】
なお、上述の問題は、上述の特許文献１でも同様に発生する。
【０００９】
そこで、本発明は、搬送ローラの正回転、逆回転によって、シートを一方向にはまっすぐ搬送し、逆方向（例えば、斜送手段の方向）には斜送することができるようにしたシート反転装置、画像形成装置、画像読取り装置を提供することを目的とするものである。
【課題を解決するための手段】
【００１０】
本発明は、駆動回転される搬送ローラと、前記搬送ローラの軸方向に沿って異なる位置に当接されて従動回転する複数の搬送コロとによってシートを挟持搬送し、また前記搬送ローラの正回転、逆回転を切り替えることでシート搬送方向を反転するシート反転装置において、前記搬送ローラの正回転に伴う前記複数の搬送コロの正回転に連動して前記搬送ローラに対する前記複数の搬送コロの当接圧を均等にし、また前記搬送ローラの逆回転に伴う前記複数の搬送コロの逆回転に連動して前記搬送ローラに対する前記複数の搬送コロの当接圧に差異を発生させるシート斜送機構を備えたことを特徴とする。
【発明の効果】
【００１１】
本発明によると、シート反転装置は、シート斜送機構が、搬送ローラの正回転に伴う複数の搬送コロの正回転に連動して複数の搬送コロの当接圧を均等にするので、シートをまっすぐに搬送することができる。一方、シート反転装置は、シート斜送機構が、搬送ローラの逆回転に伴う複数の搬送コロの逆回転に連動して複数の搬送コロの当接圧に差異を発生させる、シートを逆方向に斜送することができる。つまり、複雑な制御を伴うことなく、機械的な構成によって、搬送ローラの正回転、逆回転により、シートをまっすぐに搬送し、また逆方向に斜送することができる。
【発明を実施するための最良の形態】
【００１２】
以下、図面に沿って、本発明の実施の形態について説明する。なお、同一の図面又は異なる図面において同一の符合を付したものは、同様の構成あるいは同様の作用をなすものであり、これらについては、適宜、重複説明を省略している。
【００１３】
＜実施の形態１＞
図１は、本発明を適用することができる画像形成装置を示す。同図に示す画像形成装置は、電子写真方式の小型（卓上型）のプリンタ１であり、同図はこのプリンタ１を正面側（ユーザが操作する側）から見た縦断面図である。
【００１４】
同図を参照して、プリンタ１の構成及び動作の概略を説明する。
【００１５】
同図に示すプリンタ１は、プリンタ本体２と、シート収納部３と、シート給搬送部４と、レジスト部５と、画像形成部６と、シート反転部（シート反転装置）７と、シート排出部８と、シート再給搬送部９とを備えている。
【００１６】
シート収納部３には、給紙カセット３ａが配設されている。給紙カセット３ａは、複数枚のシートＳを積載状態で収納しており、プリンタ本体２に対し左方から着脱される。
【００１７】
シート給搬送部４は、給紙ローラ４ａ、分離パッド４ｂ、搬送ローラ４ｃなどによって構成されている。シート給搬送部４は、給紙カセット３ａに収納されているシートＳを、給紙ローラ４ａの回転によって給紙し、分離パッド４ｂによって１枚ずつ分離した後、搬送ローラ４ｃによってレジスト部５に向けて搬送する。
【００１８】
レジスト部５には、レジストローラ対５ａが配設されている。シート給搬送部４から搬送されてきたシートＳは、その先端が停止中のレジストローラ対５ａのニップ部に当接されることでループを形成し、斜行が矯正される。斜行が矯正されたシートＳは、画像形成部６の画像形成動作に同期して回転するレジストローラ対５ａによって画像形成部６に搬送される。
【００１９】
画像形成部６は、例えば、感光ドラム、帯電器、露光器、現像器、転写帯電器、定着器等（いずれも不図示）によって構成されている。画像形成部６は、帯電器、露光器、現像器によって感光ドラム上にトナー像を形成し、このトナー像を転写帯電器により、レジストローラ５ａから搬送されてきたシートＳの一面（以下「第１面」という。）に転写し、その後、定着器によってシートＳを加熱加圧することにより、シートＳにトナー像を定着される。
【００２０】
シート反転部７には、正回転及び逆回転が可能な搬送ローラ７ａと、これに当接されて従動回転する搬送コロ７ｂとが配設されている。シートＳの第１面のみに画像形成を行う場合（片面画像形成時）には、画像形成部６で第１面に画像が形成されたシートＳは、搬送ローラ７ａの正回転（図１中の反時計回り）により、上方のシート排出部８に搬送される。また、シートＳの第１面の裏の面（以下「第２面」という。）にも画像形成を行う場合（両面画像形成時）には、画像形成部６で第１面に対する画像形成が終了したシートＳは、まず、搬送ローラ７ａの正回転によってシート排出部８に向けて搬送され、後端が分岐部Ｐを通過した後に、搬送ローラ７ａを逆回転（図１中の時計回り）することにより、下方のシート再給搬送部９に向けて搬送される。なお、シート反転部７については、後に詳述する。
【００２１】
シート排出部８には、排紙ローラ８ａ、付勢部材８ｃによって排紙ローラ８ａに当接された排紙コロ８ｂ、排紙ローラ８ａを駆動するためのギヤ列８ｄ，８ｅ等によって構成されており、排紙ローラ８ａの正回転によってシートＳを排紙トレイ８ｆ上に排出し、また排紙ローラ８ａの逆回転によってシートＳを下方に搬送する。
【００２２】
シート再給搬送部９には、斜送ローラ９ａ、斜送コロ９ｂ、基準部材９ｃ、再搬送ローラ９ｄ等が配設されており、上述のシート反転部７から搬送されてきたシートＳを、斜送ローラ９ａ、斜送コロ９ｂによって搬送方向に対して斜め左に向けて斜送し、シートＳの左側の側端を基準部材９ｃに当接させる。これにより、シートＳの第２面に画像形成する際の、シート幅方向のレジストレーションを行う。シートＳは、その後、再搬送ローラ９ｄによって、レジストローラ５ａに向けて搬送される。
【００２３】
次に、図２〜図６を参照して、シート反転部７について詳述する。ここで、図２はシート反転部７のうちの、手前側領域７Ｂ（プリンタ本体２の正面に近い側、図４（ａ）参照）の構成を正面側から見た図であり、図３はシート反転部７のうちの、奥側領域７Ａ（プリンタ本体２の後面に近い側、図４（ａ）参照）の構成、及び搬送ローラ７ａの正回転時（矢印Ｒ１方向の回転時）の動作を説明する図である。図４（ａ）は搬送ローラ７ａの正回転時の、搬送ローラ７ａ近傍を上方から見た図、図４（ｂ）は搬送ローラ７ａから斜送コロ９ｂにかけての展開図である。ただし搬送コロ７ｂ、アーム部材７ｃ等は省略している。図５はシート反転部７のうちの、奥側領域７Ａの構成、及び搬送ローラ７ａの逆回転時（矢印Ｒ２方向の回転時）の動作を説明する図である。そして、図６（ａ）は、搬送ローラ７ａの逆回転時の、搬送ローラ７ａ近傍を上方から見た図、図４（ｂ）は搬送ローラ７ａから斜送コロ９ｂにかけての展開図である。ただし搬送コロ７ｂ、アーム部材等は省略している。
【００２４】
図４（ａ），（ｂ）、図６（ａ），（ｂ）に示すように、シート反転部７には、長手方向（これらの図中の左右方向）に沿って配設された駆動軸（芯金）７ｈと、この駆動軸７ｈの長手方向の異なる位置に配設された複数（同図では４個）の搬送ローラ７ａとを有している。駆動軸７ｈは、その両端部が、プリンタ本体２の一部２ａ，２ｂによって回転自在な軸受１０によって回動自在に支持されている。この駆動軸７ｈの奥側の端部には、正逆回転可能なモータ（不図示）からの動力がギヤ７ｋ等を介して伝達される。搬送ローラ７ａは、モータの正逆回転に対応して、正回転及び逆回転する。４個の搬送ローラ７ａのうち、２個はシートＳの幅方向の中心Ｃ（図４（ｂ）参照）に対応する位置を基準にして、手前側の手前側領域７Ｂに配置され、また他の２個は、奥側の奥側領域７Ａに配置されている。
【００２５】
各搬送ローラ７ａには、それぞれ搬送コロ７ｂが当接されている。各搬送コロ７ｂは、図２に示すように、アーム（アーム部材）７ｃの先端に固定されたピン７ｊに、摩擦部材７ｆを介して回動可能に支持されている。ここで、４個の搬送コロ７ｂのうち、奥側領域７Ａに配設された２個の搬送コロ７ｂが第１の搬送コロに相当し、手前側領域７Ｂに配設された２個の搬送コロ７ｂが第２の搬送コロに相当する。同様に、４個のアーム７ｃのうち、奥側領域７Ａに配設された２個のアーム７ｃが第１のアーム部材に相当し、手前側領域７Ｂに配設された２個のアーム７ｃが第２のアーム部材に相当する。
【００２６】
上述の摩擦部材７ｆは、シート状に形成されてピン７ｊの外周面に巻き付けられ、この摩擦部材７ｆによって搬送コロ７ｂが取り付けられている。したがって、搬送コロ７ｂが回転すると、摩擦部材７ｆには同方向の摩擦力が作用する。アーム７ｃは、基端側の揺動中心７ｄが、搬送ローラ７ａと搬送コロ７ｂとの間のニップ部Ｎよりも、シート排出部８側に配置されている（図２中では、ニップ部Ｎの右斜め上方）。またアーム７ｃは、その中間部が、基端側をプリンタ本体２の一部に固定された圧縮ばね（付勢部材）７ｅによって搬送ローラ７ａ側に付勢されており、これにより、アーム７ｃに支持された搬送コロ７ｂは、適宜な当接圧で搬送ローラ７ａに当接している。
【００２７】
図３に示すように、モータの正転により搬送ローラ７ａが矢印Ｒ１方向（正回転方向）に駆動回転されると、搬送コロ７ｂは、矢印Ｒ３方向（正回転方向）に従動回転し、シートＳは、これら搬送ローラ７ａと搬送コロ７ｂとによって矢印Ｋ１方向（シート排出部８の方向）に挟持搬送される。このとき、アーム７ｃには、搬送コロ７ｂの回転により摩擦部材７ｆによって矢印Ｍ３方向のモーメント、すなわち搬送コロ７ｂを搬送ローラ７ａに当接させる方向のモーメントが作用する。このモーメントの作用により、シートＳを矢印Ｋ１方向に挟持搬送するときの搬送コロ７ｂの当接圧は、図４（ａ）に示すように、ｆ１となる。この当接圧ｆ１は、４個の搬送コロ７ｂとも同じである。したがって、それぞれの搬送ローラ７ａと搬送コロ７ｂとによってシートＳに付与される搬送力は、図４（ｂ）に示すように、いずれ同じＦ１となる。
【００２８】
これとは逆に、図５に示すように、モータの逆転により搬送ローラ７ａが矢印Ｒ２方向（逆回転方向）に駆動回転されると、搬送コロ７ｂは、矢印Ｒ４方向（逆回転方向）に従動回転し、シートＳは、これら搬送ローラ７ａと搬送コロ７ｂとによって矢印Ｋ２方向（シート再給搬送部９の方向）に挟持搬送される。このとき、アーム７ｃには、搬送コロ７ｂの矢印Ｒ４方向の回転により摩擦部材７ｆによって矢印Ｍ４方向のモーメント、すなわち搬送コロ７ｂを搬送ローラ７ａから離間させる方向のモーメントが作用する。
【００２９】
ここで、図４（ａ），図６（ａ）にしめす４個のアーム７ｃのうち、手前側領域７Ｂに配置された２個のアーム（第２のアーム部材）７ｃの背面側には、図２に示すような、規制部材７ｇが配設されている。この規制部材７ｇは、基端側がプリンタ本体２の一部２ｃに固定されたブロック状の部材であり、先端がアーム７ｃと軽く接触し、あるいは微小間隙を介して配置されている。この規制部材７ｇは、図５に示すように、アーム７ｃに、搬送コロ７ｂを離間させる方向（矢印Ｍ４方向）のモーメントが作用したときに、アーム７ｃが移動することを規制し、これにより搬送コロ７ｂが搬送ローラ７ａから離間するのを防止して当接圧が低減するのを防止している。一方、奥側領域７Ａに配設されている２個のアーム（第１のアーム部材）７ｃについては、このような規制部材７ｇがないので、アーム７ｃに対して、矢印Ｍ４方向のモーメントが作用した場合には、搬送コロ７ｂが離間方向に付勢される。このため当接圧は減少してｆ３となる。これに対し、手前側の２個の搬送コロ７ｂの当接圧は、上述の規制部材７ｇによって減少が抑制されるため、当接圧ｆ３よりも大きい当接圧ｆ２となる。このため、図６（ｂ）に示すように、奥側の２個の搬送ローラ７ａと搬送コロ７ｂによってシートＳの付与される搬送力はＦ３となり、手前側の２個の搬送ローラ７ａと搬送コロ７ｂによってシートＳに付与される搬送力は、Ｆ３よりも大きいＦ２となる。これにより、矢印Ｋ２方向に搬送されるシートＳには、図６（ｂ）中の搬送力Ｆ２と搬送力Ｆ３との差異に基づく反時計回りのモーメントが作用する。このため、シートＳは、基準部材９ｃに向かって斜送される。ここで、上述のアーム７ｃ、付勢部材７ｅ、摩擦部材７ｆ、規制部材７ｇなどによって、シート斜送機構Ｍが構成される。また、このシート斜送機構Ｍに、搬送ローラ７ａ、搬送コロ７ｂなどを加えて、シート反転装置が構成されている。
【００３０】
つづいて、上述のシート斜送機構Ｍを備えたシート反転装置の動作について説明する。なお、以下の説明では、搬送ローラ７ａの回転方向、回転開始及び停止のタイミングなどは、制御手段（不図示）によって制御されるものとする。また、この制御手段によってプリンタ１全体の動作も制御されているものとする。
【００３１】
片面画像形成時、シートＳは、給紙カセット３ａからシート給搬送部４、レジスト部５によって画像形成部６に搬送される。画像形成部６においてトナー像が転写され、定着されたシートＳは、シート反転部７によって上方のシート排出部８に搬送される。このとき、搬送ローラ７ａは、モータによって正回転され、搬送コロ７ｂは正回転方向に従動回転される。これにより各搬送コロ７ｂの当接圧は均等のｆ１となり、各搬送ローラ７ａと各搬送コロ７ｂとによる搬送力Ｆ１も均等となる。このため、シートＳは、シート排出部８ａに向かってまっすぐに搬送される。そして、シート排出部８によって排紙トレイ８ｆ上に排出される。
【００３２】
これに対し、両面画像形成時には、給紙カセット３ａからシート給搬送部４、レジスト部５によって搬送され、画像形成部６において第１面にトナー像が形成されたシートＳは、シート反転部７へ送られる。シートＳは、その後端が分岐部Ｐを抜けるまで搬送される。このときシートＳは、上述の片面画像形成時と同様に、搬送ローラ７ａが正回転していて４個の搬送コロ７ｂの当接圧が均等となるため、まっすぐに搬送される。制御手段は、シートＳの後端が分岐部Ｐを抜け、搬送ローラ７ａと搬送コロ７ｂとの間のニップ部を通過し終える前に、モータを逆転して搬送ローラ７ａを逆回転させる。これにより、シートＳは、後端を先頭にして下方のシート再給搬送部９に向けて搬送されながら、反転される。このとき、図６（ａ），（ｂ）に示すように、搬送ローラ７ａの逆回転に起因して、奥側領域７Ａの２個の搬送コロ７ｂの当接圧はｆ３となり、手前側領域７Ｂの２個の搬送コロ７ｂの当接圧はｆ３よりも大きいｆ２となる。したがって、手前領域７Ｂの搬送ローラ７ａと搬送コロ７ｂとによる搬送力Ｆ２は、奥側領域７Ａの搬送ローラ７ａと搬送コロ７ｂとによる搬送力Ｆ３よりも大きくなる。このため、シートＳは、その後端Ｓ２が斜送ローラ９ａ及び斜送コロ９ｂにかかる前から基準部材に９ｃに向けての斜送が開始される。さらに、シートＳは、その後端Ｓ２が斜送ローラ９ａ及び斜送コロ９ｂにかかると、これらにより斜送され、一方の側端が基準部材９ｃに当接されて、シート幅方向のレジストレーションが行われる。レジストレーションが終了したシートＳは、その後、再搬送ローラ９ｄによってレジスト部５を介して画像形成部６に送られる。画像形成部６において第２面に画像形成されたシートＳは、片面画像形成時と同様に、シート反転部７によってまっすぐに搬送され、シート排出部８によって、排紙トレイ８ｆ上に排出される。
【００３３】
以上説明したように本発明によると、複雑な制御を行うことなく、また簡単な構成で、すなわち搬送ローラ７ａの正回転によりシートＳをまっすぐに搬送し、一方、搬送ローラ７ａの逆回転によってシートを逆方向に搬送しながら斜送させることができる。このため、上述のように、シートＳの後端Ｓ２が斜送コロ９ｂにかかる前に、シートＳの斜送を開始することができる。したがって、搬送ローラ７ａから斜送コロ９ｂまでの距離を長く取れない小型のプリンタであっても、搬送方向のサイズが長いシートやシート幅方向のサイズが短いシートのシート幅方向のレジストレーションを良好に行うことができる。
【００３４】
なお、上述の構成では、アーム７ｃのピン７ｊと搬送コロ７ｂとの間に介装する摩擦部材として、シート状の摩擦部材を使用したが、これに代えて搬送コロ７ｂの正回転時には抵抗が小さく、また搬送コロ７ｂの逆回転字には抵抗が大きくなるような摩擦部材を介装することができる。この場合には、搬送ローラ７ａ及び搬送コロ７ｂの正回転時のシートＳの搬送をより円滑に行うことができる。
【００３５】
以上の説明では、本発明の適用することができるシート反転装置を、プリンタ（画像形成装置）１に内蔵した例を説明したが、このシート反転装置は、シートＳの画像を読み取るための画像読取り装置に内蔵するようにしてもよい。さらには、画像形成装置や画像読取り装置に内蔵する代わりに、外部の外付けするようにしてもよい。これらの場合にも上述と同様の効果をあげることができる。
【００３６】
また、上述では、シート反転装置によって斜送したシートＳの一方の側面を、斜送コロ９ｂによって基準部材９ｃに当接させてシート幅方向のレジストレーションを行う例を説明したが、これに代えて、シート反転装置によって斜送したシートＳの後端（先頭側）を、シート後端突き当て部に突き当てることにより、シートの一方の側端を基準部材に当接させるようにしてもよい。
【図面の簡単な説明】
【００３７】
【図１】本発明を適用することができる画像形成装置を正面側から見た縦断面図である。
【図２】シート反転部のうちの、手前側領域の構成を正面側から見た図である。
【図３】シート反転部のうちの、奥側領域の構成、及び搬送ローラの正回転時の動作を説明する図である。
【図４】（ａ）は搬送ローラの正回転時の、搬送ローラ近傍を上方から見た図であり、（ｂ）は搬送ローラから斜送コロにかけての展開図である。
【図５】シート反転部のうちの、奥側領域の構成、及び搬送ローラの逆回転時の動作を説明する図である。
【図６】（ａ）は搬送ローラの逆回転時の、搬送ローラ近傍を上方から見た図であり、（ｂ）は搬送ローラから斜送コロにかけての展開図である。
【図７】従来の画像形成装置を正面側から見た縦断面図である。
【図８】（ａ）は従来の搬送ローラの正回転時の、搬送ローラ近傍を上方から見た図であり、（ｂ）は従来の搬送ローラから斜送コロにかけての展開図である。
【図９】（ａ）は従来の搬送ローラの逆回転時の、搬送ローラ近傍を上方から見た図であり、（ｂ）は従来の搬送ローラから斜送コロにかけての展開図である。
【符号の説明】
【００３８】
１          プリンタ（画像形成装置）
２          プリンタ本体
７          シート反転装置（シート反転部）
７Ａ        奥側領域
７ａ        搬送ローラ
７Ｂ        手前側領域
７ｂ        奥側領域に配設された搬送コロ（第１の搬送コロ）、手前側領域の配設された搬送コロ（第２の搬送コロ）
７ｃ        奥側領域に配設されたアーム（第１のアーム部材）、手前側領域の配設されたアーム（第２のアーム部材）
７ｅ        付勢部材
７ｆ        摩擦部材
７ｇ        規制部材
９          シート再給搬送部
９ａ        斜送ローラ
９ｂ        斜送コロ
９ｃ        基準部材
Ｍ          シート斜送機構
Ｓ          シート
【図１】
2006327795.tif 000003
【図２】
2006327795.tif 000004
【図３】
2006327795.tif 000005
【図４】
2006327795.tif 000006
【図５】
2006327795.tif 000007
【図６】
2006327795.tif 000008
【図７】
2006327795.tif 000009
【図８】
2006327795.tif 000010
【図９】
2006327795.tif 000011